(57)【要約】【課題】内蔵フラッシュをポップアップさせたときに発光部を高く、かつ前方に位置させることができ、収納時におけるカメラの前後方向の厚さが小さい内蔵フラッシュ機構を提供する。【解決手段】被写体に対して照明光を照射する発光部２０と、前記カメラ本体の幅方向に延び前記カメラ本体の前後方向に可動する第１軸２６と、前記カメラ本体の幅方向に延び前記カメラ本体の前方側に配置されて前記第１軸に対して上下方向に可動する第２軸２８と、前記カメラ本体の幅方向に延び前記発光部を保持する第３軸３０と、前記第１軸と前記第２軸をリンクさせる第１リンク部材３２と、前記第２軸と前記第３軸をリンクさせる第２リンク部材３４と、前記第２軸を上方向に付勢する第１ばね部材３６と、前記第２リンク部材を前記第２軸周りに開放側に付勢する第２ばね部材と、前記発光部を前記第３軸回りに開放側に付勢する第３ばね部材４０と、前記発光部を収納位置に係止する係止部４２とを備える。【選択図】図３
2015025838.tif 000002
【特許請求の範囲】
【請求項１】
被写体に対して照明光を照射する発光部と、
前記カメラ本体の幅方向に延び前記カメラ本体の前後方向に可動する第１軸と、
前記カメラ本体の幅方向に延び前記カメラ本体の前方側に配置されて前記第１軸に対して上下方向に可動する第２軸と、
前記カメラ本体の幅方向に延び前記発光部を保持する第３軸と、
前記第１軸と前記第２軸をリンクさせる第１リンク部材と、
前記第２軸と前記第３軸をリンクさせる第２リンク部材と、
前記第２軸を上方向に付勢する第１ばね部材と、
前記第２リンク部材を前記第２軸周りに開放側に付勢する第２ばね部材と、
前記発光部を前記第３軸回りに開放側に付勢する第３ばね部材と、
前記発光部を収納位置に係止する係止部と、
を備えることを特徴とする内蔵フラッシュ機構。
【請求項２】
前記発光部が収納される収納ケースを備え、
前記収納ケースは、
前記収納ケースの側面の下部近傍に設けられ、前記第１軸を前後方向に移動可能に支持する第１ガイド部と、
前記収納ケースの側面の前部近傍に設けられ、前記第２軸を上下方向に移動可能に支持する第２ガイド部と、
を有することを特徴とする請求項１記載の内蔵フラッシュ機構。
【請求項３】
請求項１または２に記載の内蔵フラッシュ機構を備えたことを特徴とするカメラ。
【発明の詳細な説明】
【技術分野】
【０００１】
本発明は、カメラに内蔵されている内蔵フラッシュ機構、および内蔵フラッシュ機構を備えたカメラに関するものである。
【背景技術】
【０００２】
従来、カメラに内蔵されているフラッシュの発光部を２軸のリンク機構によりポップアップさせる内蔵フラッシュのポップアップ機構が知られている（例えば、特許文献１参照）。
【先行技術文献】
【特許文献】
【０００３】
【特許文献１】特開２０１１−７０１６７号公報
【発明の概要】
【発明が解決しようとする課題】
【０００４】
しかし、上述の内蔵フラッシュのポップアップ機構においては、１軸目がカメラ本体の内部に固定されているため、発光部を発光部収納ケース内に収納する際には１軸目を避けて発光部が収納されるように発光部収納ケース内にスペースを確保する必要があることから、カメラ本体の前後方向（換言すれば撮影レンズの光軸方向）における厚さが大きくなる。
【０００５】
本発明の目的は、内蔵フラッシュをポップアップさせたときに発光部を高く、かつ前記前後方向において比較的前方に位置させることができ、収納時におけるカメラの前後方向の長さ（厚み）を短く構成した内蔵フラッシュ機構、およびこの内蔵フラッシュ機構を備えたカメラを提供することである。
【課題を解決するための手段】
【０００６】
本発明は以下のような解決手段により上記課題を解決する。
【０００７】
本発明の内蔵フラッシュ機構は、被写体に対して照明光を照射する発光部と、前記カメラ本体の幅方向に延び前記カメラ本体の前後方向に可動する第１軸と、前記カメラ本体の幅方向に延び前記カメラ本体の前方側に配置されて前記第１軸に対して上下方向に可動する第２軸と、前記カメラ本体の幅方向に延び前記発光部を保持する第３軸と、前記第１軸と前記第２軸をリンクさせる第１リンク部材と、前記第２軸と前記第３軸をリンクさせる第２リンク部材と、前記第２軸を上方向に付勢する第１ばね部材と、前記第２リンク部材を前記第２軸周りに開放側に付勢する第２ばね部材と、前記発光部を前記第３軸回りに開放側に付勢する第３ばね部材と、前記発光部を収納位置に係止する係止部とを備えることを特徴とする。
【０００８】
本発明のカメラは、本発明の内蔵フラッシュ機構を備えたことを特徴とする。
【発明の効果】
【０００９】
本発明によれば、内蔵フラッシュをポップアップさせたときに発光部を高く、かつ前方に位置させることができ、そして収納時におけるカメラ本体の前後方向における長さ（厚み）を短く（薄く）構成した内蔵フラッシュ機構、およびこの内蔵フラッシュ機構を備えたカメラを提供することができる。
【図面の簡単な説明】
【００１０】
【図１】実施の形態に係るデジタルカメラの前面を示す斜視図である。
【図２】実施の形態に係る内蔵フラッシュのポップアップ状態における前方斜視図である。
【図３】実施の形態に係る内蔵フラッシュのポップアップ状態におけるポップアップ機構の前方斜視図である。
【図４】実施の形態に係る内蔵フラッシュのポップアップ状態におけるポップアップ機構を示す左側面図である。
【図５】実施の形態に係る内蔵フラッシュのポップアップ状態におけるポップアップ機構を示す背面図である。
【図６】実施の形態に係る内蔵フラッシュの収納状態における前方斜視図である。
【図７】実施の形態に係る内蔵フラッシュのカメラ前後方向の厚さと従来技術の内蔵フラッシュのカメラ前後方向の厚さを示す図である。
【図８】実施の形態に係る内蔵フラッシュのカメラ前後方向の厚さと従来技術の内蔵フラッシュのカメラ前後方向の厚さを示す図である。
【発明を実施するための形態】
【００１１】
以下、図面を参照して、本発明の実施の形態に係るデジタルカメラの内蔵フラッシュ機構について説明する。図１は実施の形態に係るデジタルカメラ２（カメラ本体）の前面を示す斜視図である。本実施の形態におけるデジタルカメラはレンズ交換式のデジタルカメラであり、デジタルカメラ２の前面には、交換レンズ（不図示）を着脱可能なレンズマウント４が設けられている。またデジタルカメラ（カメラ本体）２の上面１００には、内蔵フラッシュ６を収納する収納部１１０、電源スイッチ８、シャッターボタン１０、及び動画撮影ボタン１２等が設けられている。
【００１２】
図２は実施の形態に係る内蔵フラッシュのポップアップ状態における前方斜視図であり、図３は実施の形態に係る内蔵フラッシュのポップアップ状態におけるポップアップ機構の前方斜視図である。内蔵フラッシュ６は、発光部２０と、発光部２０をポップアップさせるポップアップ機構２２を有しており、内蔵フラッシュ６の収納状態においては、カメラ本体内に配置されているフラッシュユニット収納ケース２４内に収納される（図６参照）。なお、フラッシュユニット収納ケース２４は、上述の収納部１１０の一部を構成する部品である。
【００１３】
ポップアップ機構２２は、カメラ本体の幅方向に延びる第１軸２６、カメラ本体の幅方向に延びる第２軸２８、及びカメラ本体の幅方向に延び発光部２０を保持する第３軸３０を備えており、また第１軸２６と第２軸２８をリンクさせる第１リンク部材３２、第２軸２８と第３軸３０をリンクさせる第２リンク部材３４を備えた３軸のリンク機構により構成されている。第１リンク部材３２は、第１軸２６側の縁部が第１軸２６に固定され、第２軸２８側の縁部が第２軸２８に固定された板状部材により構成されている。また第２リンク部材３４は、第２軸２８側の縁部が第２軸２８に固定され、第３軸３０側の縁部が第３軸３０に固定された板状部材により構成されている。
【００１４】
フラッシュユニット収納ケース２４には、カメラ本体の幅方向の両側面に、ポップアップ機構２２の第１軸２６を前後方向に移動可能に支持する第１ガイド部５０と、ポップアップ機構２２の第２軸２８を上下方向に移動可能に支持する第２ガイド部５２とが形成されている。
【００１５】
第１ガイド部５０は、フラッシュユニット収納ケース２４の側面の下部近傍に設けられたカメラ本体の前後方向に延びる長孔であり、第２ガイド部５２は、フラッシュユニット収納ケース２４の側面の前部近傍に設けられた上下方向に延びる長孔である。
【００１６】
ポップアップ機構２２の第１軸２６は、フラッシュユニット収納ケース２４の第１ガイド部５０に両端部が挿入され、カメラ本体の前後方向に移動可能に支持されている。また第２軸２８は、フラッシュユニット収納ケース２４の第２ガイド部５２に両端部が挿入され、第１軸２６に対して上下方向に移動可能に支持されている。
【００１７】
内蔵フラッシュ６を前方側から視た場合の左側面の第２軸２８の後方には、第２軸２８を上方向に付勢する第２軸アップばね３６（図４参照）が設けられている。第２軸アップばね３６は、コイルバネにより構成され一方の端部３６ａが第２軸２８の下面に当接され、第２軸２８を上方向に付勢している。第２軸２８には、第２リンク部材３４を第２軸２８回りに開放側に付勢する、コイルばねにより構成された第２リンク部材アップばね３８が挿通されている。第３軸３０には、発光部２０を第３軸３０回りに開放側に付勢する、コイルばねにより構成された発光部アップばね４０が挿通されている。
【００１８】
またフラッシュユニット収納ケース２４内の下部には、ベース部４４（図５参照）が設けられ、ベース部４４には、発光部２０を収納位置であるフラッシュユニット収納ケース２４内に係止する際に、発光部２０の下部に形成されている係止部４２に係止されるロック爪４６が形成されている。なお、ロック爪４６はベース部４４に対してスライド可能に形成され、内蔵フラッシュ６をポップアップさせる際には、係止状態を解除する方向にスライドする。
【００１９】
内蔵フラッシュ６の発光部２０を押下して、内蔵フラッシュ６を収納位置であるフラッシュユニット収納ケース２４内に収納する場合、図６に示すように、第１軸２６は、第１ガイド部５０に沿って後方に移動し、第１ガイド部５０の後端側に位置する。また第２軸２８は、第２ガイド部５２に沿って下方に移動し、第２ガイド部５２の下端側に位置する。
【００２０】
この場合に、第１リンク部材３２の第１軸２６側が後方に移動し、第１リンク部材３２の第２軸２８側が下方に移動してフラッシュユニット収納ケース２４内に空間が形成されるため、この空間内に発光部２０が収納される。このとき発光部２０の下部に形成されている係止部４２にロック爪４６が係止され、内蔵フラッシュ６の収納状態が維持されると共に、第２軸アップばね３６、第２リンク部材アップばね３８及び発光部アップばね４０は、それぞれ内蔵フラッシュ６をポップアップさせるための力量がチャージされた状態になる。
【００２１】
この状態においては、フラッシュユニット収納ケース２４内の底部に設けられている、内蔵フラッシュ６が収納位置にあるか、ポップアップ位置にあるかを検出する検出スイッチ（図示せず）を第１リンク部材３２の裏面側で押下するため、内蔵フラッシュ６が収納位置にあることを検出することができる。
【００２２】
内蔵フラッシュ６の発光部２０をポップアップさせる場合には、不図示のソレノイドに通電してロック爪４６を係止状態を解除する方向に回動させる。これによりロック爪４６が係止部４２から外れ係止状態が解除され、チャージされた状態にあった第２軸アップばね３６、第２リンク部材アップばね３８及び発光部アップばね４０により、内蔵フラッシュ６がポップアップされる。このとき、第１軸２６は、第１ガイド部５０に沿って前方に移動し、第１ガイド部５０の前方側の端部に位置する。また第２軸２８は、第２ガイド部５２に沿って上方に移動し、第２ガイド部５２の上方側の端部に位置する。
【００２３】
この場合に、第１リンク部材３２は、第１軸２６側の縁部が第１軸２６に固定され、第２軸２８側の縁部が第２軸２８に固定された板状部材であるため、フラッシュユニット収納ケース２４内のスペースが第１リンク部材３２により隠されることにより、誤ってフラッシュユニット収納ケース２４の底部に設けられている検出スイッチに触れてしまうのを防止することができる。
【００２４】
本実施の形態に係る内蔵フラッシュによれば、内蔵フラッシュをポップアップさせたときに発光部を高く、かつ前方に位置させることができ、収納時におけるカメラの前後方向の厚さが小さい内蔵フラッシュ機構を提供することができる。即ち、図７は従来技術の内蔵フラッシュがポップアップしている状態（ａ）と、実施の形態に係る内蔵フラッシュが６ポップアップしている状態（ｂ）とを模式的に示したものであり、図８は従来技術の内蔵フラッシュが収納されている状態（ａ）と、実施の形態に係る内蔵フラッシュ６が収納されている状態（ｂ）とを模式的に示したものであるが、これらの図に示すように、従来技術の内蔵フラッシュのポップアップ時におけるカメラ本体の上面１２０に対する発光部１０２の位置と、実施の形態に係る内蔵フラッシュ６のポップアップ時におけるカメラ本体２の上面１２０に対する発光部２０の位置を同じにした場合に、従来技術の内蔵フラッシュのカメラの前後方向の厚さ（ａ）に比較して実施の形態に係る内蔵フラッシュ６のカメラの前後方向の厚さ（ｂ）を小さくすることができる。
【００２５】
なお、上述の実施の形態において、ロック爪４６の動作はスライド動作に限られるものではなく、ロック爪４６をベース部４４に回動可能に構成し、そのロック爪の回動動作により係止状態を解除するように構成してもよい。
【符号の説明】
【００２６】
２…デジタルカメラ、６…内蔵フラッシュ、２０…発光部、２２…ポップアップ機構、２４…フラッシュユニット収納ケース、２６…第１軸、２８…第２軸、３０…第３軸、３２…第１リンク部材、３４…第２リンク部材、３６…第２軸アップばね、３８…第２リンク部材アップばね、４０…発光部アップばね、４２…係止部、４６…ロック爪、５０…第１ガイド部、５２…第２ガイド部
【図１】
2015025838.tif 000003
【図２】
2015025838.tif 000004
【図３】
2015025838.tif 000005
【図４】
2015025838.tif 000006
【図５】
2015025838.tif 000007
【図６】
2015025838.tif 000008
【図７】
2015025838.tif 000009
【図８】
2015025838.tif 000010